(57)【要約】      （修正有）【課題】部品点数を削減してコストダウンを図ることができ、安全性をも確保する。【解決手段】ドア１０に設けた貫通孔１６に対して、外側に位置するように配設された外側ケース４１と、貫通孔１６に対して、ドア１０の内側に位置するように配設された内側ケース５５と、外側ケース４１と内側ケース５５との間に配設された遮炎プレート７０と、ドア１０の内側に固定されるとともに遮炎プレート７０に対して固定されることにより、両ケース４１，５５をドア１０に固定する固定プレート７６と、外側ケース４１内に配設された第１読取手段（受信機）と、内側ケース５５内に配設された第２読取手段（受信機）と、遮炎プレート７０により区画された外側ケース４１内および内側ケース５５内の少なくとも一方に収容された回路基板８８，９２，９３と、を備えた構成とする。【選択図】図２
2008215030.tif 000002
【特許請求の範囲】
【請求項１】
読み取った読取ユーザ情報を予め登録された特定ユーザ情報と比較し、一致すると、少なくともドアを自動解錠または解錠可能とする認証式キーシステムの読取装置において、
前記ドアに内外を貫通するように設けた貫通孔に対して、前記ドアの外側に位置するように配設された外側ケースと、
前記外側ケースに組み付けられるとともに、前記貫通孔に対して、前記ドアの内側に位置するように配設された内側ケースと、
前記外側ケースと内側ケースとの間に配設された遮炎プレートと、
前記ドアの内側に固定されるとともに前記遮炎プレートに対して固定されることにより、前記両ケースを前記ドアに固定する固定プレートと、
前記外側ケース内に配設され、前記ドアの外側に位置するユーザ情報を読み取る第１読取手段と、
前記内側ケース内に配設され、前記ドアの内側に位置するユーザ情報を読み取る第２読取手段と、
前記遮炎プレートにより区画された外側ケース内および内側ケース内の少なくとも一方に収容され、前記読取手段を接続または実装した回路基板と、
を備えたことを特徴とする認証式キーシステムの読取装置。
【請求項２】
前記固定プレートに、前記内側ケースを内部に挿通する挿通孔を設け、該内側ケースの周囲に配設する装飾枠を前記固定プレートに固定したことを特徴とする請求項１に記載の認証式キーシステムの読取装置。
【請求項３】
前記回路基板に、外部機器と接続するためのコネクタを実装し、
前記外側ケースまたは内側ケースに、前記コネクタの相手方コネクタの接続面を露出させる露出孔を設けたことを特徴とする請求項１または請求項２に記載の認証式キーシステムの読取装置。
【請求項４】
前記回路基板を、前記外側ケースから内側ケースにかけて延びるように配設するとともに、前記遮炎プレートに、前記回路基板を挿通する挿通溝を設けたことを特徴とする請求項１乃至請求項３のいずれか１項に記載の認証式キーシステムの読取装置。
【請求項５】
前記外側ケース内に、前記第１読取手段を実装した外側回路基板を配設するとともに、前記内側ケース内に、前記第２読取手段を実装した内側回路基板を配設し、
前記回路基板に、前記外側ケース内および内側ケース内に位置するようにコネクタをそれぞれ実装するとともに、前記内外の各回路基板に前記コネクタに接続する相手方のコネクタをそれぞれ実装したことを特徴とする請求項４に記載の認証式キーシステムの読取装置。
【請求項６】
前記外側ケースおよび内側ケースに、前記第１および第２読取手段によるユーザ情報の読み取りを実行するための操作部を設けたことを特徴とする請求項１乃至請求項５のいずれか１項に記載の認証式キーシステムの読取装置。
【発明の詳細な説明】
【技術分野】
【０００１】
本発明は、認証式キーシステムの読取装置に関するものである。
【背景技術】
【０００２】
近年の住宅や車両のドアは、ドアの開放時に特定のユーザを自動認証して解錠可能または自動解錠したり、ドアの閉塞時に自動施錠したりする認証式キーシステムが採用されている。そして、特定のユーザを認証するための手段としては、予め設定された特定のコードを送信するＩＣタグなどの電子部品が使用されている。
【０００３】
このような認証式キーシステムに関連する先行技術文献情報としては次のものがある。
【０００４】
【特許文献１】特開２００３−３４３１３１号公報
【特許文献２】特開２００４−０６８４８３号公報
【０００５】
特許文献１の認証式キーシステムでは、室外から室内に入室するときだけでなく、室内から室外に退室する際の利便性をも向上するために、ドアの内面側と外面側の両方に、電子部品からの信号の読取手段を搭載した読取装置をそれぞれ配設する構成としている。
【０００６】
しかしながら、この認証式キーシステムでは、同一機能を有する読取装置を２個設け、ドアの内外に配設する必要があるため、部品点数が増大するうえ、取付作業工数も増え、コスト高になるという問題がある。
【０００７】
また、特許文献２の認証式キーシステムでは、ドアの周囲である住宅の壁に室内側から室外側に向けて窪む収容凹部を設け、この収容凹部に読取装置を配設する構成としている。また、この収容凹部の室内側の開口には、金属製の防火用蓋を配設している。
【０００８】
この引用文献２では、室内側に配設した防火用蓋によって、室内で送信された信号は遮断されるため、室内から室外に退室する際の利便性については考慮していない。但し、防火用蓋を開放することにより、退室を認証することは可能である。しかし、このように構成した場合、認証の際には蓋を開放操作する必要があるため、利便性が悪いという問題がある。
【発明の開示】
【発明が解決しようとする課題】
【０００９】
本発明は、従来の問題に鑑みてなされたもので、部品点数を削減してコストダウンを図ることができ、安全性をも確保できる認証式キーシステムの読取装置を提供することを課題とするものである。
【課題を解決するための手段】
【００１０】
前記課題を解決するため、本発明の認証式キーシステムの読取装置は、読み取った読取ユーザ情報を予め登録された特定ユーザ情報と比較し、一致すると、少なくともドアを自動解錠または解錠可能とする認証式キーシステムの読取装置において、前記ドアに内外を貫通するように設けた貫通孔に対して、前記ドアの外側に位置するように配設された外側ケースと、前記外側ケースに組み付けられるとともに、前記貫通孔に対して、前記ドアの内側に位置するように配設された内側ケースと、前記外側ケースと内側ケースとの間に配設された遮炎プレートと、前記ドアの内側に固定されるとともに前記遮炎プレートに対して固定されることにより、前記両ケースを前記ドアに固定する固定プレートと、前記外側ケース内に配設され、前記ドアの外側に位置するユーザ情報を読み取る第１読取手段と、前記内側ケース内に配設され、前記ドアの内側に位置するユーザ情報を読み取る第２読取手段と、前記遮炎プレートにより区画された外側ケース内および内側ケース内の少なくとも一方に収容され、前記読取手段を接続または実装した回路基板と、を備えた構成としている。
【００１１】
この読取装置によれば、外側ケースと内側ケースの内部に、ドアの外側に位置するユーザ情報を読み取る第１読取手段と、内側に位置するユーザ情報を読み取る第２読取手段とを配設している。そのため、１個の読取装置でドアの内外のユーザ情報を読み取ることができるため、部品点数を削減できる。また、この読取装置をドアに組み付ける際には、外側ケースと内側ケースとを組み付けた状態でドアの貫通孔に配設し、両ケースの間に位置する遮炎プレートをドアの内側に固定される固定プレートに固定するだけで、少ない作業工数で簡単に完了する。そして、このように部品点数を削減できるとともに、組付時の作業工数を削減できるため、コストダウンを図ることができる。
【００１２】
なお、本発明によれば、ドアには、内外を貫通する貫通孔を設ける必要がある。そして、例えば住宅のドアに貫通孔を設けた場合、その住宅に火災が発生すると、その貫通孔から炎が放出されるため、防災の面で好ましくない。しかし、本発明では、外側ケースと内側ケースとの間に遮炎プレートを配設しているため、万が一、住宅に火災が発生しても、内部の炎が外部に放出されることを防止できる。
【００１３】
ここで、ユーザを特定するためのユーザ情報としては、第１に、予め設定した送信コードに基づく所定周波数の信号を出力するＩＣタグなどの電子部品が適用できる。この場合、読取手段としては、その周波数帯の信号を読み取って出力する受信機が適用される。また、ユーザを特定するためのユーザ情報としては、第２に、全ての人が異なるバイオメトリクス（Biometrics：生物計測学的認証）全般を利用できる。ここで、バイオメトリクスとは、指紋をはじめ、顔、手型、虹彩、網膜、血管などの生体的特徴や、筆跡、音声などの行動的特徴を数値化し、予め登録した特定ユーザ情報と照合することで行う認証方法である。
【００１４】
また、受信機からなる第１の読取手段では、読取方法（時期）は、ユーザの読取意思を検出することによって起動する方式と、所定時間毎に間欠的に自動読み込みを実行する方式とが適用可能である。そのうち、特に後者の読取方法の場合、前記遮炎プレートを、少なくとも送信コードを送受信する周波数帯の信号は遮断する材質によって構成することが好ましい。このようにすれば、外側または内側から送信された信号を、内側用または外側用の第２読取手段または第１読取手段で読み取ることを防止できる。即ち、ドアの外側に存在するユーザと内側に存在するユーザとを、区別して認識することができる。
【００１５】
この読取装置では、前記固定プレートに、前記内側ケースを内部に挿通する挿通孔を設け、該内側ケースの周囲に配設する装飾枠を前記固定プレートに固定することが好ましい。このようにすれば、ドアに対して外側ケースおよび内側ケースを装着した状態で、ドアの内側から意匠性を向上するための装飾枠を簡単に取り付けることができる。また、装飾枠は、金属製の固定プレートに固定されるため、固定状態での安定を図ることができる。
【００１６】
また、前記回路基板に、外部機器と接続するためのコネクタを実装し、前記外側ケースまたは内側ケースに、前記コネクタの相手方コネクタの接続面を露出させる露出孔を設けることが好ましい。このようにすれば、読取装置をドアに組み付ける際に、外部機器と接続するための作業を容易に行うことができる。
【００１７】
さらに、前記回路基板を、前記外側ケースから内側ケースにかけて延びるように配設するとともに、前記遮炎プレートに、前記回路基板を挿通する挿通溝を設けることが好ましい。このようにすれば、遮炎プレートによってケース内を内外に区画しても、確実に回路基板を配設できる。また、遮炎プレートには、回路基板との当接を避けるために大きな切り欠きを設けるのではなく、スリット状の挿通溝を設けるだけであるため、遮炎性能は十分に確保できる。
【００１８】
具体的には、前記外側ケース内に、前記第１読取手段を実装した外側回路基板を配設するとともに、前記内側ケース内に、前記第２読取手段を実装した内側回路基板を配設し、前記回路基板に、前記外側ケース内および内側ケース内に位置するようにコネクタをそれぞれ実装するとともに、前記内外の各回路基板に前記コネクタに接続する相手方のコネクタをそれぞれ実装することが好ましい。このようにすれば、外側ケースに外側回路基板を配設するとともに、内側ケースに内側回路基板を配設した状態で、これらケースを遮炎プレートを挟んで組み付けるだけで、読取手段を実装した一対の回路基板と主となる回路基板の３つを簡単に接続することができる。
【００１９】
さらにまた、前記外側ケースおよび内側ケースに、前記第１および第２読取手段によるユーザ情報の読み取りを実行するための操作部を設けることが好ましい。ここで、操作部は、ユーザの読取意思を検出するための手段である。そして、このように外側ケースおよび内側ケースのそれぞれに、読取意思検出手段である操作部を設けることにより、無駄な読取動作が不要になるため、無駄な電力消費を削減できる。また、ドアの開放を希望するユーザがドアの内側に存在するのか、内側に存在するのかを認識することができる。
【発明の効果】
【００２０】
本発明の認証式キーシステムの読取装置では、外側ケースと内側ケースとの内部に、外側用の第１読取手段と内側用の第２読取手段とを配設しているため、１個の読取装置でドアの内外のユーザ情報を読み取ることができる。また、この読取装置をドアに組み付ける際には、ドアの貫通孔に配設し、両ケースの間に位置する遮炎プレートをドアの内側に固定される固定プレートに固定するだけで、少ない作業工数で簡単に完了する。よって、部品点数を削減できるとともに、組付時の作業工数を削減できるため、コストダウンを図ることができる。また、ドアには貫通孔を設けているが、外側ケースと内側ケースとの間には遮炎プレートを配設しているため、万が一、火災が発生しても、ドア内部の炎が外部に放出されることを防止できる。
【発明を実施するための最良の形態】
【００２１】
以下、本発明の実施の形態を図面に従って説明する。
【００２２】
図１および図２は、本発明の実施形態に係る読取装置４０を適用した認証式キーシステムを示す。まず、本実施形態の認証式キーシステムは、図１（Ａ），（Ｂ），（Ｃ）に示すように、住宅のドア１０内に配設されるもので、本発明に係る読取装置４０の他に、錠箱２０と、制御器内蔵錠箱２６と、電池ボックス３３とを備えている。
【００２３】
住宅のドア１０は、長方形状をなす金属製の外面パネル１１および内面パネル１２と、これらの外周縁を連続させるように閉塞する端面パネル１３とを備え、その内部には所定間隔の空間を有するものである。
【００２４】
前記錠箱２０は、ドア１０においてヒンジ接続された回転軸側の端面と逆側に位置する回転先端側に位置する端面パネル１３に開口を設け、この開口から内部に挿入して固定される。この錠箱２０は、外部に進出可能な第１デッドボルト２１を備え、この第１デッドボルト２１が図示しないドア枠の係止穴に進入することにより、ドア１０を開放不可能（施錠状態）とする。また、この錠箱２０は、ドア１０の外側から施錠および解錠するための第１シリンダ２２と、ドア１０の内側から施錠および解錠するための第１電動サムターン２３とを備えている。第１シリンダ２２は、ドア１０の外面パネル１１に配設され、予め設定されたキー溝を有する構造的な鍵材を挿入して手動によって回転操作することにより、前記第１デッドボルト２１を進出（係止穴内に進入係止）または後退（錠箱内に退避）させるものである。第１電動サムターン２３は、ドア１０の内面パネル１２に配設され、第１ケーシング２４に対して回転可能に突設された第１ボルト操作部２５をユーザが手動によって回転操作することにより、第１デッドボルト２１を進出または後退させるものである。また、第１ケーシング２４の内部には周知のモータおよびリンク機構が内蔵され、メインマイコン３２からの施錠指示または解錠指示により、第１デッドボルト２１を自動進出または自動後退させるものである。
【００２５】
前記制御器内蔵錠箱２６は、錠箱２０と同様に、ドア１０において回転先端側に位置する端面パネル１３に開口を設け、この開口から内部に挿入して固定されるものである。この制御器内蔵錠箱２６は、外部に進出可能な第２デッドボルト２７と、ドア１０の外側から施錠および解錠するための第２シリンダ２８と、ドア１０の内側から施錠および解錠するための第２電動サムターン２９とを備えている。また、第２電動サムターン２９は、第２ケーシング３０に第２ボルト操作部３１が回転可能に配設され、内部にモータおよびリンク機構が内蔵されている。さらに、この制御器内蔵錠箱２６には、後述する読取装置４０から送信される信号に基づいて、電動サムターン２３，２９を制御する制御手段であるメインマイコン３２を実装した制御基板が配設されている。さらに、制御器内蔵錠箱２６の内部には、予め設定された検出範囲内の磁気を検出するマグネットスイッチ（図示せず）が配設され、ドア枠の対応位置にマグネットが配設されている。これらマグネットスイッチおよびマグネットは、ドア１０の開閉状態を検出する開閉検出手段の役割をなす。なお、この開閉検出手段は、マグネットスイッチおよびマグネットの代わりにマイクロスイッチを用いることも可能であり、ドア１０の開閉状態を検出できる構成であればいずれでも適用可能である。
【００２６】
前記電池ボックス３３は、ドア１０の回転先端側に位置する端面パネル１３に開口を設け、この開口から内部に挿入して固定されている。そして、メインマイコン３２を実装した制御基板に電力線３４によって接続されている。また、この制御基板は、第１電動サムターン２３および読取装置４０にリード線３５ａ，３５ｂによって接続されている。そして、制御基板から第１電動サムターン２３および読取装置４０に対して、これらを動作させるための電力および制御信号をリード線３５ａ，３５ｂによって伝達するように構成している。
【００２７】
本実施形態の読取装置４０は、図１および図２に示すように、ドア１０の外面パネル１１に第１開口部１４を設けるとともに内面パネル１２に第２開口部１５を設け、これら開口部１４，１５により、ドア１０の内外にかけて貫通する貫通孔１６を構成し、この貫通孔１６に対して装着するものである。なお、開口部１４，１５は、それぞれ長方形状をなすが、その開口面積は、第１開口部１４より第２開口部１５が小さくなるように形成されている。また、第２開口部１５の周囲には、ネジを挿通して読取装置４０を固定するためのネジ挿通孔１７が設けられている。
【００２８】
具体的には、この読取装置４０は、ドア１０の外側に位置するように配設された外側ケース４１と、ドア１０の内側に位置するように配設された内側ケース５５とからなる外装体を備えている。そして、これらケース４１，５５の間には遮炎プレート７０が配設され、この遮炎プレート７０によって内部の収容空間が外側ケース４１の側と内側ケース５５の側とに区画されている。組付状態の外装体は、貫通孔１６に対して外側から挿入してドア１０に配置され、ドア１０の内側から固定プレート７６によって固定されるとともに、装飾枠８３を固定することによって意匠的な装飾が施される。
【００２９】
前記外側ケース４１は耐熱性を有する樹脂からなり、図２、図３および図４に示すように、垂直方向が長尺な四角筒状をなす第１枠部４２と、該第１枠部４２の一端を閉塞する第１閉塞部４７とを備えた一端開口の箱形状のものである。
【００３０】
前記第１枠部４２は、その４隅に内側ケース５５をネジ止めによって固定するためのネジ止め部４３が略半円形状をなすように外向きに膨出するように設けられている。また、第１枠部４２は、膨出したネジ止め部４３を含む外形が、第１開口部１４より小さく形成されている。そして、第１枠部４２の短尺な一端面、具体的には、ドア１０に対して下側に配置する端面には、後述する主回路基板８８の第１コネクタ９０を露出させる矩形状の露出孔４４が設けられている。また、第１枠部４２の開口端には、上下枠縁の幅方向中央に位置するように、外向き（ドア１０の厚さ方向）に突出する第１位置決め凸部４５ａ，４５ｂが突設されている。本実施形態では、上側に位置する第１位置決め凸部４５ａは、断面円形状をなすように突設されている。また、下側に位置する第１位置決め凸部４５ｂは、横方向に長尺な断面長円形状をなすように突設されている。さらに、第１枠部４２の上下端面には、内向きに突出する一対の第１案内板部４６，４６が、ドア１０の内外面にかけて延びるようにそれぞれ突設されている。
【００３１】
前記第１閉塞部４７は、ドア１０の外面パネル１１に対して外部に露出（突出）するように組み付けられるものである。この第１閉塞部４７は、その外形が第１開口部１４より大きく、その外面は、意匠性を向上するために、上下方向にかけて湾曲した曲面により構成されている。また、第１閉塞部４７の外面には、均一な深さで窪ませた第１凹部４８が設けられ、この第１凹部４８内に透光性を有する図示しないポリカーボネイト製の表面シートを貼着する構成としている。また、この第１閉塞部４７の中央には、凹状をなすように下端および左右にかけて延びる第１分離溝４９を設けることにより、その内部に上端を連続させた第１弾性操作部５０が設けられている。この第１弾性操作部５０の内面側には、後述する外側回路基板９２に実装したスイッチ９５Ａを押圧作動させる第１押圧部５１が突設されている。また、第１弾性操作部５０には、第１押圧部５１の上側に位置するように、第１枠部４２内にかけて貫通した第１透光孔５２が設けられている。なお、この第１透光孔５２の内面側の縁にはリブ５２ａが突設されている。また、図中符号５３は、第１弾性操作部５０を補強するためのリブである。さらに、第１閉塞部４７の内面には、外側回路基板９２をネジ止めによって固定するための第１ボス５４が突設されている。
【００３２】
前記内側ケース５５は耐熱性を有する樹脂からなり、図２、図３および図５に示すように、垂直方向が長尺な四角筒状をなす第２枠部５６と、該第２枠部５６の一端を閉塞する第２閉塞部６２とを備えた一端開口の箱形状のものである。
【００３３】
前記第２枠部５６は、第２開口部１５より若干小さ外形状をなし、第２閉塞部６２と逆側に位置する開口端の上下縁には、外向きに突出する突出片５７が設けられている。この突出片５７には、外側ケース４１に組み合わせた状態でネジ止め部４３に一致するネジ挿通孔５８が設けられている。また、突出片５７において、幅方向の中央から一方に偏った位置には、後述する遮炎プレート７０のネジ固定部７３との干渉を防止するための切欠部５９が半円形状をなすように設けられている。さらに、突出片５７において、外側ケース４１と対向する開口端面には、幅方向中央に位置するように、外向きに突出する第２位置決め凸部６０ａ，６０ｂが突設されている。これら第２位置決め凸部６０ａ，６０ｂは、断面円形状をなすように突設されている。そのうち、上側に位置する第２位置決め凸部６０ａは、第１位置決め凸部４５ａの直径と同一に形成されている。また、下側に位置する第２位置決め凸部６０ｂは、第１位置決め凸部４５ｂの円弧部分の直径と同一に形成されている。さらに、第２枠部５６の上下端面には、内向きに突出する一対の第２案内板部６１，６１が、ドア１０の内外面にかけて延びるようにそれぞれ突設されている。
【００３４】
前記第２閉塞部６２は、その外形が第２枠部５６と同一に形成され、ドア１０の内面パネル１２に対して内部（室内側）に突出して露出するように組み付けられるものである。また、この第２閉塞部６２の外面は、意匠性を向上するために、上下方向にかけて湾曲した曲面により構成されている。さらに、第２閉塞部６２の外面には、均一な深さで窪ませた第２凹部６３が設けられ、この第２凹部６３内に透光性を有する図示しないポリカーボネイト製の表面シートを貼着する構成としている。また、この第２閉塞部６２の中央には、凹状をなすように下端および左右にかけて延びる第２分離溝６４を設けることにより、その内部に上端を連続させた第２弾性操作部６５が設けられている。この第２弾性操作部６５の内面側には、後述する内側回路基板９３に実装したスイッチ９５Ｂを押圧作動させる第２押圧部６６が突設されている。また、第２弾性操作部６５には、第２押圧部６６の上側に位置するように、第２枠部５６内にかけて貫通した第２透光孔６７が設けられている。なお、この第２透光孔６７の内面側の縁にはリブ６７ａが突設されている。また、図中符号６８は、第２弾性操作部６５を補強するためのリブである。さらに、第２閉塞部６２の内面には、内側回路基板９３をネジ止めによって固定するための第２ボス６９が突設されている。
【００３５】
前記遮炎プレート７０は、炎を遮る遮炎性および予め設定した所定の周波数帯の信号を遮断する特性を有する金属材料（例えばステンレス）からなるものである。この遮炎プレート７０は、図２、図３および図６に示すように、内側ケース５５の上下にかけた突出片５７と同一の外形をなす板状のもので、その４隅には、ネジ止め部４３およびネジ挿通孔５８に一致するネジ挿通孔７１が設けられている。また、突出片５７の切欠部５９と対応するように、幅方向の中央から一方に偏った上下縁には、略半円形状をなすように突出する突出部７２が設けられ、この突出部７２の一面から円筒状をなすようにネジ固定部７３が突設されている。このネジ固定部７３は、ドア１０への組付状態で、内面パネル１２に設けたネジ挿通孔１７と一致する。さらに、遮炎プレート７０の中央上部には、位置決め凸部４５ａ，６０ａと一致し、これらを内部に挿入して位置決めする位置決め孔７４が設けられている。即ち、遮炎プレート７０は、位置決め凸部４５ａ，６０ａの突出寸法を合わせた寸法より若干厚肉に形成されている。また、遮炎プレート７０には、後述する主回路基板８８を挿通するスリット状をなす挿通溝７５が下端から上向きに延びるように設けられている。この挿通溝７５は、位置決め凸部４５ｂ，６０ｂの直径より僅かに大きく形成され、後述する主回路基板８８の位置決めと、両ケース４１，５５の位置決めの両方を兼ねるように構成されている。
【００３６】
前記固定プレート７６は、図２、図３および図７に示すように、内部に内側ケース５５を挿通可能な第１挿通孔７７を設けた四角枠状をなす金属製のものである。この固定プレート７６の上下枠において中央から一方に偏った位置には、第１挿通孔７７に内側ケース５５を挿通した状態で、組付状態の遮炎プレート７０のネジ固定部７３に一致するネジ固定孔７８ａ，７８ｂが設けられている。そのうち、上側に位置するネジ固定孔７８ａは円形状をなすように設けられ、下側に位置するネジ固定孔７８ｂは、製造誤差および組付誤差を吸収するために、上下方向に延びるようにした長円形状をなすように設けられている。また、固定プレート７６には、第１挿通孔７７の上下縁に室内側に向けて突出する枠片７９が設けられている。さらに、固定プレート７６の両側縁には、後述する装飾枠８３を固定するための取付枠８０が設けられている。この取付枠８０の中央には、室内側に向けて突出する凸部８１が設けられ、この凸部８１にネジ止め孔８２が設けられている。なお、凸部８１の先端は、装飾枠８３の取付作業性を向上させるために、内向きに傾斜させたガイド部８１ａとされている。
【００３７】
前記装飾枠８３は耐熱性を有する樹脂からなり、図２、図３および図８に示すように、装着状態の内側ケース５５においてドア１０の内面パネル１２から室内側に突出する部分は勿論、固定プレート７６を覆う上下方向に長尺な受皿形状をなすものである。この装飾枠８３の中央には、内側ケース５５を挿通する第２挿通孔８４が設けられている。また、この装飾枠８３の第２挿通孔８４の両側には、内側ケース５５の第２閉塞部６２の外面形状と一致するように曲面状に膨出する隆起部８５が設けられている。さらに、装飾枠８３の両側部には、固定プレート７６の取付枠８０の外側に外嵌した状態で前記ネジ止め孔８２に一致するように、内側に向けて略Ｕ字形状をなすように窪む凹部８６が設けられ、この凹部８６にネジ止め溝８７が設けられている。
【００３８】
このように、遮炎プレート７０によって内部を区画した内側ケース５５と外側ケース４１とからなる外装体の内部には、図２に示すように、３枚の回路基板８８，９２，９３が収容されている。そのうち、主回路基板８８は両ケース４１，５５にかけて延びるように配設され、外側回路基板９２は外側ケース４１内に配設され内側回路基板９３は内側ケース５５内に配設される。
【００３９】
前記主回路基板８８は、図２および図９に示すように、遮炎プレート７０によって区画されたケース４１，５５内において、遮炎プレート７０の挿通溝７５を通して両ケース４１，５５内にかけて延びるように配設されるものである。この主回路基板８８は、両ケース４１，５５の案内板部４６，４６，６１，６１によって上下端縁が位置決めされ、安定状態で収容される。そして、この主回路基板８８には、後述するＬＥＤ９６Ａ，９６Ｂ、送信機９７Ａ，９７Ｂおよび受信機９８Ａ，９８Ｂの制御手段としてマイコン８９が実装されている。また、主回路基板８８の下端には、組付状態で外側ケース４１の露出孔４４に対応する第１コネクタ９０が実装されている。この第１コネクタ９０は、外部機器である制御器内蔵錠箱２６に接続したリード線３５ａのコネクタ（図示せず）と電気接続するもので、その接続面が露出孔４４を通して外部を臨むように構成されている。さらに、主回路基板８８の両側縁には、両ケース４１，５５内に位置する第２コネクタ９１ａ，９１ｂがそれぞれ実装されている。これら第２コネクタ９１ａ，９１ｂは、後述する外側回路基板９２および内側回路基板９３と電気的に接続するもので、その接続面がドア１０の厚さ方向において外向きに臨むように構成されている。
【００４０】
前記外側回路基板９２および内側回路基板９３は、同一のものである。なお、以下の説明では、外側回路基板９２の側の構成と内側回路基板９３の側の構成とを区別するために、外側回路基板９２の側の構成に「Ａ」を付し、内側回路基板９３の側の構成に「Ｂ」を付して説明する。まず、回路基板９２，９３は、図２および図１０に示すように、長方形状をなし、その中央上下に両ケース４１，５５のボス５４，６９に対応する固定孔９４Ａ，９４Ｂが設けられている。また、閉塞部４７，６２の側に位置する一面中央には、押圧部５１，６６によって作動されるスイッチ９５Ａ，９５Ｂが実装されている。このスイッチ９５Ａ，９５Ｂは、ユーザが弾性操作部５０，６５を操作することによる認証読取意思を検出する手段の役割をなす。このスイッチ９５Ａ，９５Ｂの上部には、透光孔５２，６７を通してユーザに動作状態であるか否かを光によって示すためのＬＥＤ９６Ａ，９６Ｂが実装されている。さらに、回路基板９２，９３において、収容空間の側に位置する他面には、所定の起動信号を出力する呼出手段である送信機９７Ａ，９７Ｂが実装されるとともに、送信されたユーザ情報を含む信号を読み取る（受信する）読取手段である受信機９８Ａ，９８Ｂが実装されている。また、主回路基板８８の第２コネクタ９１ａ，９１ｂに嵌合して電気接続されるコネクタ９９Ａ，９９Ｂが実装されている。
【００４１】
このように、本実施形態では、ユーザを特定するためのユーザ情報として、予め設定した送信コードに基づく所定周波数の信号を、受信機９８Ａ，９８Ｂによって受信して読み取ることにより構成している。そして、このような信号の送受信による認証方式を適用可能な電子部品としては、ＲＦ信号（電波）を発信するリモコンを使用する構成と、ＬＦ信号（電磁波）を発信するＩＣタグを使用する構成とがある。
【００４２】
リモコンを使用する場合、ユーザが弾性操作部５０，６５を操作すると、即ち、スイッチ９５Ａ，９５Ｂによってユーザの読取意思を検出すると、マイコン８９は、３１５ＭＨｚの周波数の起動ＲＦ信号を送信機９７Ａ，９７Ｂから出力させる。ついで、その起動ＲＦ信号をユーザが携帯したリモコンが受信すると、予め登録されているコードを有する応答ＲＦ信号を出力する。その後、この応答ＲＦ信号を受信機９８Ａ，９８Ｂが受信すると、その信号に基づいた受信信号をマイコン８９に出力する。
【００４３】
ＩＣタグを使用する場合、ユーザが弾性操作部５０，６５を操作すると、マイコン８９は、１２５ＫＨｚの周波数の起動ＬＦ信号を送信機９７Ａ，９７Ｂから出力させる。ついで、その起動ＬＦ信号をユーザが携帯したＩＣタグを内蔵したカード等が受信すると、予め登録されているコードを有する応答ＬＦ信号を出力する。その後、この応答ＬＦ信号を受信機９８Ａ，９８Ｂが受信すると、その信号に基づいた受信信号をマイコン８９に出力する。
【００４４】
次に、前記読取装置４０をドア１０に組み付ける作業について説明する。
【００４５】
まず、外側ケース４１の内部に外側回路基板９２を配置し、ネジ止めによって固定する。同様に、内側ケース５５の内部に内側回路基板９３を配置し、ネジ止めによって固定する。その後、主回路基板８８を外側ケース４１の第１案内板部４６，４６の間に差し込む。この際、主回路基板８８の第１コネクタ９０を外側ケース４１の露出孔４４に位置させる。また、主回路基板８８の第２コネクタ９１ａと外側回路基板９２のコネクタ９９Ａとを嵌合させて、電気的に接続する。
【００４６】
ついで、外側ケース４１に組み付けた主回路基板８８が挿通溝７５内を挿通するように、主回路基板８８の略中央に遮炎プレート７０を噛み合わせるように配置する。その後、外側ケース４１の第１位置決め凸部４５ａを位置決め孔７４内に挿入させるとともに、第１位置決め凸部４５ｂを挿通孔７５内に挿入させて、外側ケース４１と遮炎プレート７０とを位置決めする。
【００４７】
ついで、遮炎プレート７０から突出した主回路基板８８が、内側ケース５５の第２案内板部６１，６１の間に位置するように、内側ケース５５を被せて配置する。この際、遮炎プレート７０から突出しているネジ固定部７３を、内側ケース５５の切欠部５９内に位置させる。また、主回路基板８８の第２コネクタ９１Ｂと内側回路基板９３のコネクタ９９Ｂとを嵌合させて、電気的に接続する。さらに、内側ケース５５の第２位置決め凸部６０ａを位置決め孔７４内に挿入させるとともに、第２位置決め凸部６０ｂを挿通溝７５内に挿入させて、内側ケース５５と遮炎プレート７０とを位置決めする。
【００４８】
ついで、内側ケース５５のネジ挿通孔５８から、遮炎プレート７０のネジ挿通孔７１を通して、ネジを外側ケース４１のネジ止め部４３にネジ止めして、外側ケース４１と内側ケース５５とを、間に遮炎プレート７０を介在させた状態で固定する。
【００４９】
なお、以上の説明では、主回路基板８８を外側ケース４１に組み付けた後に、内側ケース５５を組み付けるようにしたが、主回路基板８８を内側ケース５５に組み付けた後に、外側ケース４１を組み付けるようにしてもよく、その組立順番は希望に応じて変更が可能である。
【００５０】
このように、本実施形態の読取装置４０は、外側ケース４１と内側ケース５５との間を遮炎プレート７０によって外側と内側とに区画する構成としているが、遮炎プレート７０に挿通溝７５を設けているため、確実に主回路基板８８を内外にかけて延びるように配設することができる。
【００５１】
次に、図１１に示すように、このように予め組み付けたケース４１，５５を、ドア１０の外面パネル１１の第１開口部１４から挿入する。この際、ドア１０の内部空間に配線された外部機器である制御器内蔵錠箱２６からのリード線３５ａに取り付けられたコネクタを、外側ケース４１の露出孔４４から挿入し、露出した第１コネクタ９０に嵌合して接続する。また、この第１開口部１４への挿入作業は、内側ケース５５の側から行い、この内側ケース５５の先端部が内面パネル１２に設けた第２開口部１５を貫通し、外側ケース４１の第１閉塞部４７が外面パネル１１の表面に当接した状態で完了する。このように、外部機器と接続するための第１コネクタ９０を外側ケース４１に設けた露出孔４４から露出させる構成としているため、その接続作業を容易に行うことができる。
【００５２】
ついで、第２開口部１５から突出した内側ケース５５を囲むように、ドア１０の内面パネル１２の側から、固定プレート７６を配置する。そして、固定プレート７６のネジ固定孔７８ａ，７８ｂから、内面パネル１２のネジ挿通孔１７を通して、ネジを遮炎プレート７０のネジ固定部７３に対してネジ止め固定する。これにより、遮炎プレート７０を介在させた組付状態の外側ケース４１と内側ケース５５とを、ドア１０の内面パネル１２を挟み込んだ状態で固定できる。
【００５３】
ついで、内面パネル１２から突出した内側ケース５５の先端部分および固定プレート７６を覆うように装飾枠８３を被せる。そして、装飾枠８３のネジ止め溝８７を通して固定プレート７６のネジ止め孔８２にネジを締め付けて、ドア１０に対して装飾枠８３を固定する。このように、装飾枠８３を固定プレート７６に固定する構成としているため、ドア１０に対して外側ケース４１および内側ケース５５を装着した状態で、ドア１０の内側から装飾枠８３を簡単に取り付けることができる。また、意匠性を向上するための装飾枠８３は、金属製の固定プレート７６に固定されるため、固定状態での安定を図ることができる。
【００５４】
このように、本発明の読取装置４０では、外側ケース４１と内側ケース５５とを組み付けた状態で、これらをドア１０の貫通孔１６に配設し、両ケース４１，５５の間に位置する遮炎プレート７０をドア１０の内側に固定する固定プレート７６に固定するだけで、少ない作業工数で簡単に完了する。そのため、組付作業工数を削減でき、コストダウンを図ることができる。
【００５５】
ここで、住宅のドア１０などは、火災が発生した際に、炎が外部に放出されることを防止する必要がある。しかし、本実施形態の読取装置４０をドア１０に組み付けるには、ドア１０に内外を貫通する貫通孔１６を設ける必要があるため、火災が発生した場合に、その熱で読取装置４０の外装体が溶けて焼失すると、貫通孔１６から炎が外部に放出する問題が生じる。しかし、本実施形態の読取装置４０は、両ケース４１，５５の間に遮炎プレート７０を介設しているため、万が一、住宅に火災が発生しても、内部の炎が外部に放出されることを防止できる。
【００５６】
因みに、本実施形態の遮炎プレート７０には、主回路基板８８を挿通させるための挿通溝７５を設けているため、この主回路基板８８が焼失すると、挿通溝７５を通して炎が外部に放出する可能性が生じる。しかし、本実施形態の挿通溝７５は、主回路基板８８との当接を避けるための大きな切り欠きではなく、スリット状の非常に小さい開口面積のものであるため、遮炎性能は十分に確保できる。
【００５７】
また、本実施形態では、３枚の回路基板８８，９２，９３により構成しているが、外側回路基板９２を外側ケース４１に配設し、内側回路基板９３を内側ケース５５に配設した状態で、主回路基板８８を挟み込むように配設するだけで、コネクタ９１ａ，９９Ａ，９１ｂ，９９Ｂによって簡単に電気的に接続できる。
【００５８】
次に、前記読取装置４０を用いた認証式キーシステムの動作について説明する。
【００５９】
例えば、リモコンまたはカードキーを携帯したユーザがドア１０の外側の第１弾性操作部５０を操作したことを第１のスイッチ９５Ａを介してマイコン８９が検出すると、マイコン８９は、外側回路基板９２の送信機９７Ａから起動信号を出力させる。その後、読取装置４０は、リモコンまたはカードキーからの応答信号の受信待機状態に遷移する。
【００６０】
出力された起動信号をリモコンまたはカードキーが受信すると、リモコンまたはカードキーは、予め登録されたユーザ情報であるコードを含む応答信号を送信する。そして、送信された応答信号を受信待機状態の読取装置４０が受信機９８Ａによって受信すると、マイコン８９は、その受信情報に基づく信号を制御器内蔵錠箱２６に搭載したメインマイコン３２に出力する。
【００６１】
なお、リモコンまたはカードキーを携帯したユーザがドア１０の内側の第２弾性操作部６５を操作した場合、第２のスイッチ９５Ｂを介してマイコン８９が検出することにより、起動信号を内側回路基板９３の送信機９７Ｂから出力し、受信機９８Ｂにより受信待機状態に遷移する点でのみ相違する。
【００６２】
一方、読取装置４０のマイコン８９から受信情報に基づく信号を受信したメインマイコン３２は、その受信信号に含まれるユーザ情報と、予め登録された特定のユーザ情報とを比較し、一致する特定ユーザ情報が存在する場合には、正規信号であると認証する。そうすると、メインマイコン３２は、電動サムターン２３，２９に対して解錠を意味する解錠駆動信号を出力する。その結果、電動サムターン２３，２９が解錠動作を実行し、デッドボルト２１，２７を後退させて、ドア１０を解錠する。
【００６３】
解錠信号を出力すると、メインマイコン３２は、ドア１０の閉塞待機状態に遷移する。そして、制御器内蔵錠箱２６内のマグネットスイッチが、ドア枠に配設したマグネットの磁気を検出すると、メインマイコン３２はドア１０が閉塞されたと判断し、電動サムターン２３，２９に対して施錠を意味する施錠駆動信号を出力する。その結果、電動サムターン２３，２９が施錠動作を実行し、デッドボルト２１，２７を進出させて、ドア１０を施錠する。
【００６４】
このように、本発明の読取装置４０を用いた認証式キーシステムでは、外側ケース４１にドア１０の外側のユーザ情報を読み取る読取手段として第１の受信機９８Ａを配設し、内側ケース５５にドア１０の内側のユーザ情報を読み取る読取手段として第２の受信機９８Ｂを配設した構成としている。その結果、１個の読取装置４０でドア１０の内外のユーザ情報を読み取ることができるため、部品点数を削減でき、コストダウンを図ることができる。
【００６５】
また、前記外側ケース４１および内側ケース５５に、受信機９８Ａ，９８Ｂによってユーザ情報の読み取りを実行するため弾性操作部５０，６５を設けているため、その操作を検出した時のみ、送信機９７Ａ，９７Ｂおよび受信機９８Ａ，９８Ｂによる送受信動作を実行するように構成できる。即ち、所定時間毎に間欠的に送受信を行うような無駄な読取動作が不要になるため、電力消費を削減できる。
【００６６】
さらに、弾性操作部５０，６５に対応するスイッチ９５Ａ，９５Ｂによって読取意思を検出するため、ユーザが屋内に存在するのか屋外に存在するのかを容易に認識できる。その結果、例えば、リモコンまたはカードキーを携帯していない人物が、第１弾性操作部５０を操作した際に、ドア１０の内側、即ち、室内に置いている使用していないリモコンまたはカードキーが応答することにより解錠するという不都合を防止できる。しかも、本実施形態では、遮炎プレート７０を、送受信する信号の周波数帯を遮断する特性の材料としている。その結果、外側の第１弾性操作部５０が操作された場合に、第１の受信機９８Ａのみによって受信させることにより、確実に意図しない解錠を防止できる。
【００６７】
なお、本発明の認証式キーシステムの読取装置４０は、前記実施形態の構成に限定されるものではなく、種々の変更が可能である。
【００６８】
例えば、前記実施形態では、回路基板を、主回路基板８８と外側回路基板９２と内側回路基板９３の３枚で構成したが、その数は希望に応じて変更が可能である。具体的には、１枚で構成する場合には、ドア１０の内外に位置するユーザ情報をそれぞれ検出する目的から、回路基板は、主回路基板８８のように両ケース４１，５５にかけて延びるように配設することが好ましい。但し、送信機９７と受信機９８をそれぞれケース４１，５５に直接固定する構成とし、これらを回路基板に対してリード線によって接続する場合には、両ケース４１，５５のいずれかに位置するように収容させればよい。また、２枚で構成する場合には、両ケース４１，５５にそれぞれ配設することが好ましい。
【００６９】
また、前記実施形態では、特定のユーザを認証するユーザ情報として、予め設定した送信コードを登録した信号の送受信により構成したが、全ての人が異なる各自の指紋をユーザ情報として利用してもよい。この場合、読取手段としては、接触した指の指紋を読取可能なタッチパネルを適用する。また、この場合には、タッチパネルを読取意思検出手段として兼用できるため弾性操作部５０，６５は不要であるうえ、信号を送受信するための送信機９７Ａ，９７Ｂおよび受信機９８Ａ，９８Ｂも不要である。勿論、この指紋を含むバイオメトリクス（Biometrics：生物計測学的認証）全般を希望に応じて適用してもよい。ここで、バイオメトリクスとは、指紋をはじめ、顔、手型、虹彩、網膜、血管などの生体的特徴や、筆跡、音声などの行動的特徴を数値化し、予め登録した特定ユーザ情報と照合することで行う認証方法である。ここで、これらの読取手段としては、光学方式、半導体方式、熱感知方式、カメラを用いた画像解析方式、マイクを用いた音声解析方式のデバイスを適用できる。
【００７０】
さらに、前記実施形態では、主回路基板８８と外部機器とを接続するための第１コネクタ９０を露出するための露出孔４４を外側ケース４１に設けたが、内側ケース５５に設けてもよい。
【００７１】
そして、本発明の読取装置４０を適用すれば、全体の認証式キーシステムも種々の変更が可能である。
【００７２】
例えば、前記実施形態では、電池ボックス３３に蓄電した電力で動作する構成としたが、家庭に供給される商用電力を用いることも可能である。この場合、商用電力は、ドア１０を開閉可能としたヒンジ部から電灯線を介して制御器内蔵錠箱２６に供給する。
【００７３】
また、前記実施形態では、特定のユーザを認証すると、電動サムターン２３，２９を動作させて自動解錠する構成としたが、デッドボルト２１，２７が後退不可能になるリンク機構を設けておき、特定ユーザを認証すると、デッドボルト２１，２７を後退可能とすることにより、解錠可能になるように構成してもよい。
【００７４】
さらに、前記実施形態では、特定ユーザの認証により自動解錠のみを行い、施錠はドア１０の閉塞を検出することにより行うようにしたが、解錠状態で特定ユーザを認証することにより、間接的に自動施錠する構成としてもよい。このようにすれば、ドア１０が確実に施錠されたことをユーザが確認できるため、安心感を与えることができる。
【００７５】
そして、前記実施形態では、弾性操作部５０，６５およびスイッチ９５Ａ，９５Ｂからなる読取意思検出手段を設けたため、読取意思を検出した場合にのみ、信号を送受信することにより特定ユーザの認証を行うようにしたが、所定時間毎に間欠的に信号の送受信を行う自動読込方式を採用することもできる。この場合、前記実施形態のように、遮炎プレート７０を、送受信する信号の周波数帯を遮断する特性の材料とすることにより、ドア１０の内側からの信号であるか外側からの信号であるかを区別して認識できるようにすることが好ましい。
【００７６】
また、前記実施形態では、本発明の読取装置４０およびそれを用いた認証式キーシステムを住宅のドア１０に適用したが、車両のドア１０に適用してもよい。
【図面の簡単な説明】
【００７７】
【図１】本発明の実施形態に係る読取装置を適用した認証式キーシステムを示し、（Ａ）はドア外側である左側面図、（Ｂ）はドア先端面である正面図、（Ｃ）はドア内側である右側面図である。
【図２】実施形態の読取装置の構成を示す断面図である。
【図３】読取装置を示す分解断面斜視図である。
【図４】外側ケースの背面図である。
【図５】内側ケースの背面図である。
【図６】遮炎プレートの正面図である。
【図７】固定プレートの背面図である。
【図８】装飾枠の背面図である。
【図９】主回路基板の正面図である。
【図１０】外側および内側回路基板の正面図である。
【図１１】読取装置の組付工程を示す断面図である。
【符号の説明】
【００７８】
１０…ドア
１１…外面パネル
１２…内面パネル
１６…貫通孔
２０…錠箱
２６…制御器内蔵錠箱
３３…電池ボックス
４０…読取装置
４１…外側ケース
４４…露出孔
５０…第１弾性操作部
５５…内側ケース
６５…第２弾性操作部
７０…遮炎プレート
７５…挿通溝
７６…固定プレート
７７…第１挿通孔
８０…取付枠
８３…装飾枠
８４…第２挿通孔
８８…主回路基板
８９…マイコン（制御手段）
９０…第１コネクタ
９１ａ，９１ｂ…第２コネクタ
９２…外側回路基板
９３…内側回路基板
９７Ａ，９７Ｂ…送信機
９８Ａ，９８Ｂ…受信機（読取手段）
９９Ａ，９９Ｂ…コネクタ
【図１】
2008215030.tif 000003
【図２】
2008215030.tif 000004
【図３】
2008215030.tif 000005
【図４】
2008215030.tif 000006
【図５】
2008215030.tif 000007
【図６】
2008215030.tif 000008
【図７】
2008215030.tif 000009
【図８】
2008215030.tif 000010
【図９】
2008215030.tif 000011
【図１０】
2008215030.tif 000012
【図１１】
2008215030.tif 000013